【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
架橋したゼラチンを基にした造形体の製造方法であって、以下：
a)水性ゼラチン溶液を調製するステップ；
b)溶解したゼラチンを部分的に架橋するステップ；
c)部分的に架橋したゼラチンを含有するゼラチン溶液から出発する造形体を製造するステプ；及び
d)造形体中に含まれたゼラチンを架橋するステップ
を含む、前記方法。
【請求項２】
前記造形体が、ステップd)の前に少なくとも部分的に乾燥される、請求項1記載の方法。
【請求項３】
前記のステップd)における架橋が、水溶液中における架橋剤の作用により実行される、請求項1又は2記載の方法。
【請求項４】
前記のステップd)における架橋が、気相における架橋剤の作用により実行される、請求項1〜3のいずれか1項記載の方法。
【請求項５】
前記のステップb)及びd)において使用される架橋剤が、同じ又は異なり、そしてアルデヒド、ジアルデヒド、イソシアナート、ジイソシアナート、カルボジイミド及びジハロゲン化アルキルから各々選択される、請求項1〜4のいずれか1項記載の方法。
【請求項６】
前記のステップb)及び／又はd)における架橋剤が、ホルムアルデヒドである、請求項5記載の方法。
【請求項７】
過剰な架橋剤が、架橋後、造形体から除去される、請求項1〜6のいずれか1項記載の方法。
【請求項８】
前記造形体が、ステップd)に続けて減圧下で、引き続き熱処理を受ける、請求項1〜7のいずれか1項記載の方法。
【請求項９】
前記の引き続き熱処理が、温度80〜160℃で実行される、請求項8記載の方法。
【請求項１０】
前記ステップa)が、減圧下で予備的熱処理を先に受けているゼラチンを基に実行される、請求項1〜9のいずれか1項記載の方法。
【請求項１１】
前記予備的熱処理が、温度80〜160℃で実行される、請求項10記載の方法。
【請求項１２】
前記ステップa)が、6.7質量％水溶液中60℃で測定された、粘度8mPas又はそれ以上を有するゼラチンを基に実行される、請求項1〜11のいずれか1項記載の方法。
【請求項１３】
前記造形体が軟化剤を更に含有する、請求項1〜12のいずれか1項記載の方法。
【請求項１４】
前記軟化剤が、グリセリン、オリゴグリセリン、オリゴグリコール及びソルバイトから選択される、請求項13記載の方法。
【請求項１５】
請求項1〜14記載の方法に従って製造された、造形体。
【請求項１６】
過剰な架橋剤を実質的に含有しない、請求項15記載の造形体。
【請求項１７】
0.2質量％以下の過剰な架橋剤含量を有する、請求項16記載の造形体。
【請求項１８】
前記架橋度が、生理的条件下で、造形体が少なくとも1週間は安定しているように選択される、架橋されたゼラチンを基にした造形体。
【請求項１９】
前記架橋度が、生理的条件下で、造形体が少なくとも2週間は安定しているように選択される、請求項18記載の造形体。
【請求項２０】
前記架橋度が、生理的条件下で、造形体が少なくとも4週間は安定しているように選択される、請求項18記載の造形体。
【請求項２１】
自立式である、請求項15〜20のいずれか1項記載の造形体。
【請求項２２】
支持体要素を有さない、請求項15〜21のいずれか1項記載の造形体。
【請求項２３】
柔軟である、請求項15〜22のいずれか1項記載の造形体。
【請求項２４】
軟化剤を更に含有する、請求項15〜23のいずれか1項記載の造形体。
【請求項２５】
前記軟化剤が、グリセリン、オリゴグリセリン、オリゴグリコール及びソルバイトから選択される、請求項24記載の造形体。
【請求項２６】
シート材である、請求項15〜25のいずれか1項記載の造形体。
【請求項２７】
前記シート材がセル構造を有する、請求項26記載の造形体。
【請求項２８】
前記セル構造が開放細孔である、請求項27記載の造形体。
【請求項２９】
前記セル構造が、造形体上の力学的作用により修飾される、請求項27又は28記載の造形体。
【請求項３０】
前記セル構造の細孔間のセル壁の一部が破壊される、請求項29記載の造形体。
【請求項３１】
前記造形体の密度が、力学的作用により2〜10倍増加する、請求項29又は30記載の造形体。
【請求項３２】
前記細孔が、300μm未満の平均直径を有する、請求項27〜31のいずれか1項記載の造形体。
【請求項３３】
前記シート材がフィルムである、請求項26記載の造形体。
【請求項３４】
前記フィルムが、20〜500μm、好ましくは50〜100μmの厚さを有する、請求項33記載の造形体。
【請求項３５】
前記シート材が多層構造を有し、これが、請求項33又は34記載のフィルム及び請求項27〜32のいずれか1項記載のセル構造を伴うシート材を含む、請求項26記載の造形体。
【請求項３６】
前記セル構造を伴うシート材が、フィルムに直接結合されている、請求項35記載の造形体。
【請求項３７】
前記結合が、セル構造を伴うシート材にフィルムへ加圧することによりもたらされる、請求項36記載の造形体。
【請求項３８】
前記セル構造を伴うシート材が、接着剤によりフィルムに結合されている、請求項35記載の造形体。
【請求項３９】
前記接着剤が、ゼラチンを含有する、請求項38記載の造形体。
【請求項４０】
中空体である、請求項15〜25のいずれか1項記載の造形体。
【請求項４１】
前記中空体が、中空の断面(hollow section)である、請求項40記載の造形体。
【請求項４２】
前記の中空の断面が、中空のシリンダーである、請求項41記載の造形体。
【請求項４３】
前記中空体が、セル構造を有する、請求項40〜42のいずれか1項記載の造形体。
【請求項４４】
前記中空体が、ゼラチン溶液の押出により製造される、請求項40〜43のいずれか1項記載の造形体。
【請求項４５】
前記の中空の断面が、請求項26〜39のいずれか1項記載のシート材から製造される、請求項40〜43のいずれか1項記載の造形体。
【請求項４６】
ヒト又は動物用の医療の分野において、創傷又は内出血もしくは外出血を被覆するための吸収性材料を製造するための、請求項15〜45のいずれか1項記載の造形体の使用。
【請求項４７】
In vitroにおける哺乳類細胞の培養のための支持体としての、請求項15〜45のいずれか1項記載の造形体の使用。
【請求項４８】
前記哺乳類細胞が、線維芽細胞である、請求項47記載の使用。
【請求項４９】
前記哺乳類細胞が、軟骨細胞である、請求項47記載の使用。
【請求項５０】
請求項15〜45のいずれか1項記載の造形体、及び造形体上で培養された哺乳類細胞を含む、インプラント。
【請求項５１】
ヒト又は動物の皮膚の損傷、外傷及び／又は火傷を治療するのに適した、請求項50記載のインプラント。
【請求項５２】
ヒト又は動物の軟骨組織の損傷及び／又は外傷を治療するのに適した、請求項50記載のインプラント。
【請求項５３】
請求項15〜45のいずれか1項記載の中空のシリンダーを含む、神経ガイドチャネル。
【請求項５４】
前記中空シリンダーが、内径1mmを有する、請求項53記載の神経ガイドチャネル。
【手続補正２】
【補正対象書類名】明細書
【補正対象項目名】００６４
【補正方法】変更
【補正の内容】
【００６４】
バッチ1-1及び1-2のフィルムも製造した。しかしこれらは、気相中でいかなる架橋も引き続き施さなかった(フィルム1-1'は未架橋、及び1-2'は1回架橋)。これらのフィルムの破断点曲線での伸び率は、各々、約140％/10N/mm2(1-1')及び115％/15N/mm2(1-2')で終結したが、明確さのために図1には示さなかった。